(57)【要約】      （修正有）【課題】ドライバー等でこじ開けられることもなく、解錠キーも特殊な形状をしており、見られない限り模倣することは難しく、セキュリティ効果の高いセキュリティ商品ケース及び解錠キーを提供する。【解決手段】録画ビデオ等を入れてなるケース本体２ａと上蓋２ｂとからなる商品ケース２のケース本体２ａの少なくとも開口側面２ａ１及び上蓋の開口側面２ｂ１に設けた差込片３ａを設けた重合部３にて開閉自在に形成してなり、差込片３ａと商品との間の空間に、差込片３ａに設けた案内部に沿って出入自在に設けたロック体を有し、案内部に設けた係止部とロック体５に設けた係止片にてロックしてなることとする。【選択図】図１
2005022729.tif 000002
【特許請求の範囲】
【請求項１】
録画ビデオ等を入れてなるケース本体と上蓋とからなる商品ケースのケース本体の少なくとも開口側面及び上蓋の開口側面に設けた差込片を設けた重合部にて開閉自在に形成してなり、差込片と商品との間の空間に、差込片に設けた案内部に沿って出入自在に設けたロック体を有し、案内部に設けた係止部とロック体に設けた係止片にてロックしてなることを特徴とするセキュリティ商品ケース。
【請求項２】
案内部が少なくとも１本のレールとし、このレールに対応する溝をロック体の一側面長手方向に形成してなることを特徴とする請求項１記載のセキュリティ商品ケース。
【請求項３】
係止部が、レールの１部に形成した凹溝とし、係止片が、凹溝に着脱自在に係止すべく、矢型とすることを特徴とする請求項１又は２記載のセキュリティ商品ケース。
【請求項４】
ロック体が、長方形板状で、他側面長手方向に解錠溝を形成すると共に、解錠溝より係止片を適宜突出してなることを特徴とする請求項１、２又は３記載のセキュリティ商品ケース。
【請求項５】
解錠溝に差し込み、ロック体を解錠すべく、先端部に係止片を内側に縮めるための解錠部を形設したことを特徴とする板状の解錠キー。
【請求項６】
解錠部が、２又状に形成し、先端を矢型に形成してなることを特徴とする請求項５記載の解錠キー。
【発明の詳細な説明】
【０００１】
【発明の属する技術分野】
本発明は、録画ビデオテープ等の商品を入れる商品ケースで、特に防犯機能に優れるセキュリティ商品ケース及び解錠キーに関するものである。
【０００２】
【従来の技術】
従来の技術として、万引き防止用の防犯タグを貼付して覆うタグ・カバーと、このタグ・カバーに固定して一体化する固定具とを備え、ソフトウェアの記録媒体を収納する収納体をタグ・カバーに側面から差し込み、固定具により抜き取りを抑止して、特定の工具のみにより固定具の一体化を解除し、この収納体の万引きを防止するソフトウェア媒体の万引き防犯ケースにおいて、前記タグ・カバーは、厚み方向に奥行きを有して横長に開口する開口部を収納体における少なくとも１つの隅に設け、この開口部から奥行き方向に誘導する誘導路を有しており、互いに対向的に突出して引っ掛かりを係止する一対の係止部と、各係止部から開口部と反対側に突出して横滑りを制限する制限部とを開口部の奥に設け、工具を差し込む工具孔を開口部と反対側に有するものであり、前記固定具は、収納体の１つの側面から隣の側面に薄板を折り曲げて抜き取りを抑止する基板と、この基板から頭部を奥行き方向に突出してタグ・カバーの開口部から一対の係止部における中間に矢印状の薄板を差し込む矢状片とを設け、前記工具は、タグ・カバーの工具孔から差し込まれ、固定具の係止を解除する複数の解除部と、タグ・カバーの固定具側における角部の位置決めをする位置決め部とを共通の基台に併設することを特徴とするソフトウェア媒体の横入れ型万引き防犯ケースがある。（特許文献１参照）
【０００３】
【特許文献１】
特開平８−２４９５５１号公報（請求項１、図１）
【０００４】
【発明が解決しようとする課題】
しかしながら、上記のような形態のものは、図１に示すように、開口部（２１）が２側面に渡り大きく開いているため、ドライバー等で容易にこじ開けられる。
また、工具（４０）も、シンプルな形状で、模倣されやすく、かつ、外側（穴）から内部が見え、構造的なものが解ってしまいやすく、セキュリティ効果が薄い。
本発明は、上記の問題点に鑑みなされたもので、その目的は、ドライバー等でこじ開けられることもなく、解錠キーも特殊な形状をしており、見られない限り模倣することは難しく、セキュリティ効果の高いセキュリティ商品ケース及び解錠キーを提供するものである。
【０００５】
【課題を解決するための手段】
上記課題を解決するための手段として、録画ビデオ等を入れてなるケース本体と上蓋とからなる商品ケースのケース本体の少なくとも開口側面及び上蓋の開口側面に設けた差込片を設けた重合部にて開閉自在に形成してなり、差込片と商品との間の空間に、差込片に設けた案内部に沿って出入自在に設けたロック体を有し、案内部に設けた係止部とロック体に設けた係止片にてロックしてなること。また、案内部が少なくとも１本のレールとし、このレールに対応する溝をロック体の一側面長手方向に形成してなること。さらに、係止部が、レールの１部に形成した凹溝とし、係止片が、凹溝に着脱自在に係止すべく、矢型とすること。さらにまた、ロック体が、長方形板状で、他側面長手方向に解錠溝を形成すると共に、解錠溝より係止片を適宜突出してなることを特徴とするセキュリティ商品ケース。その上、解錠溝に差し込み、ロック体を解錠すべく、先端部に係止片を内側に縮めるための解錠部を形設したこと。解錠部が、２又状に形成し、先端を矢型に形成してなることを特徴とする解錠キー。
【０００６】
【発明の実施の形態】
以下、本発明のセキュリティ商品ケースについて、図面に基づいて詳細に説明する。
セキュリティ商品ケース１は、録画ビデオ（映画ビデオ等）Ｂ等を入れてなるケース本体２ａと上蓋２ｂとからなる商品ケース２のケース本体２ａの開口側面２ａ１、上面２ａ２、下面２ａ３及び上蓋２ｂの開口側面２ｂ１、上面２ｂ２、下面２ｂ３に、差込片３ａ（上蓋２ｂに３枚、ケース本体２ａには１枚）を、ケース本体２ａの開口側面２ａ１、上面２ａ２、下面２ａ３にポケット３ｂを設けた重合部３にて、ケース本体２ａの差込片３ａを、上蓋２ｂの差込片３ａの裏側に差し入れ、上蓋２ｂの差込片３ａを、ケース本体２ａのポケット３ｂに差し込み、開閉自在に形成してなり、ケース本体２ａの差込片３ａと録画ビデオＢとの空間Ｋに、ケース本体２ａの開口側面２ａ１及び上蓋２ｂの開口側面２ｂ１の差込片３ａにレールによる案内部４に沿って出入自在に設けたロック体５を有し、レールによる案内部４に設けた係止部４ａとロック体５に設けた係止片５ａにてロックしてなるものである。
上記ロック体５は、長方形板状で、上記レールによる案内部４に対応する溝５ｂを２本一側面長手方向に形成すると共に、レールによる案内部４の一部を切り欠き、形成した凹溝４ａに着脱自在に係止する矢型の係止片５ａを対称に設け、他側面長手方向に入口側より奥側をやや広くしてなる解錠溝５ｃを形成し、解錠溝５ｃの底面より係止片５ａを適宜突出してなるものである。
なお、ロック体５は、ケース本体２ａの下面２ａ３及び上蓋２ｂの下面２ｂ３に設けたスリット部２ａ４・２ｂ４より挿入するものである。
【０００７】
つぎに、解錠キーについて図面に基づいて詳細に説明する。
解錠キー６は、上記ロック体５の解錠溝５ｃに差し込んで、ロック体５を解錠すべく、先端部に上記係止片５ａを内側に縮めるため、２又状６ａに形成すると共に、先端を矢型６ｂ・６ｂに形成して対称に設けた解錠部を設けてなる。
【０００８】
つづいて、解錠キー６の使用例について下記に述べる。
まず、レジ（図示せず）にてお客様（図示せず）からセキュリティ商品ケース１を受け取り、お客様の見えない所で、スリット部２ａ４・２ｂ４へ解錠キー６を挿入し、つづいて溝５ｃを通って（入口側では、矢型６ｂ・６ｂは内側に縮まっている）、係止片５ａの前方に挿入した時点で、矢型６ｂ・６ｂが自動的に開く（奥側）。
この状態で、解錠キー６を引き戻すことにより矢型６ｂ・６ｂの後部に係止片５ａの先端を入れ込み、内側に寄せることにより、係止片５ａが凹溝４ａより外れる。
このまま、解錠キー６を引き抜くことによりセキュリティ商品ケース１よりロック体５を取り外すことができ、商品ケース２の録画ビデオ（商品）Ｂを取り出し、お客様にお渡しすることができるものである。
【０００９】
なお、上記商品ケースは録画ビデオ用のケースに限定するものではなく、各種商品ケースに対応するものである。
また、案内部、係止部及び係止片も同様な機能を有するものであれば、他の形状でもよい。
【００１０】
【発明の効果】
１）、ドライバー等を使用して商品ケースの重合部をこじ開けようとしても、隙間がないため、こじ開けることができず、セキュリティ効果が高い。
２）、スリット部から自作のキーを挿入して開けようとしても、係止部と係止片の内部構造がスリット部からは見えないため、セキュリティ効果が高い。
３）、ロック体の溝に、解錠キーを差し込む形態であり、外側からでは形状が解らないため、セキュリティ効果が高い。
４）、レールによる案内部により、ロック体の出し入れが容易である。
５）、凹溝による係止部と矢型の係止片により、確実にロックできる。
６）、先端部に係止片を内側に縮めるための解錠部を形成した解錠キーを使用することにより、偽造できにくい形状であり、セキュリティ効果が高い。
【図面の簡単な説明】
【図１】本発明の第１実施例を示すセキュリティ商品ケースの商品ケースの斜視図。
【図２】本発明の第１実施例を示すセキュリティ商品ケースの商品ケースの重合部の縦断底面図。
【図３】本発明の第１実施例を示すセキュリティ商品ケースの商品ケースの側面図。
【図４】本発明の第１実施例を示すセキュリティ商品ケースの分解斜視図。
【図５】本発明の第１実施例を示すセキュリティ商品ケースの要部の縦断底面図。
【図６】本発明の第１実施例を示すセキュリティ商品ケースの一部縦断正面図。
【図７】本発明の第１実施例を示す解錠キーの正面図。
【図８】本発明の第１実施例を示すセキュリティ商品ケースに解錠キーを挿入した状態の一部縦断側面図。
【図９】本発明の第１実施例を示すセキュリティ商品ケースに解錠キーを所要位置まで挿入した状態の一部縦断側面図。
【図１０】本発明の第１実施例を示すセキュリティ商品ケースのロック体の係止片に解錠キーの解錠部を係止した状態の一部縦断側面図。
【図１１】本発明の第１実施例を示すセキュリティ商品ケースのロック体を引き抜いた状態の一部縦断側面図。
【符号の説明】
１―――セキュリティ商品ケース
２―――商品ケース
３―――重合部
４―――案内部
５―――ロック体
６―――解錠キー
【図１】
2005022729.tif 000003
【図２】
2005022729.tif 000004
【図３】
2005022729.tif 000005
【図４】
2005022729.tif 000006
【図５】
2005022729.tif 000007
【図６】
2005022729.tif 000008
【図７】
2005022729.tif 000009
【図８】
2005022729.tif 000010
【図９】
2005022729.tif 000011
【図１０】
2005022729.tif 000012
【図１１】
2005022729.tif 000013